(57)【特許請求の範囲】
【請求項１】
表・裏面のうち一方の面に、脱着可能な粘着材が接着剤で接着されて一体化された一対の平板体同士を、前記表・裏面のうちの他方の面の重心位置において、互いの力を伝達させるとともに回転可能に繋着されて、相互に横からスライドさせて差し込んで固定されて引張力が伝達される歯状部を有する２本の剛な棒状体である伝達材によって緊結してなること、
を特徴とする家具転倒防止器具。
【請求項２】
前記平板体の側壁部に外接するガイド側壁を有するガイド部材と、前記平板体を家具や壁から取り外すのに用いるテーパ部と、前記ガイド側壁の長手方向の長さの略半分の長さで、両側の前記ガイド側壁をその基端部側で連結する天井とを備える脱着用挿入治具を付属させること、
を特徴とする請求項１記載の家具転倒防止器具。
【発明の詳細な説明】
【技術分野】
【０００１】
本発明は、例えば、薄型テレビ、家具、什器、ラック、パソコン、空調機等の建物内における設置物が地震等の振動で転倒するのを防止する家具転倒防止器具に関するものである。
【背景技術】
【０００２】
従来、上記設置物の転倒防止器具として、例えば、家具と天井との間に配設される突っ張り棒と称されるものが知られている（特許文献１参照）。この突っ張り棒は、家具の天板に配置されるプレートと、このプレートの上部に当接して押さえる家具押さえ用下部と、天井面に当接させる天井当接用上部と、前記家具押さえ用下部と天井当接用上部との間に配され、上下伸縮可能で任意の位置で固定可能な伸縮部とを備えて成るものである。
【０００３】
このような構成で、家具に損傷を与えることなく、取付が簡単で高さ調節が容易にできて、家具を頑丈に保持することができるものである。
【特許文献１】特開平８−２４２９５４号公報
【発明の開示】
【発明が解決しようとする課題】
【０００４】
しかし、従来の家具転倒防止器具においては、頑丈に家具を支持するので、地震の時において、木造戸建住宅の場合には天井が抜けるおそれがある。また、頑丈な突っ張り棒は美観を損なうものであり、家具の上に荷物が置き難い。また、Ｌ型の金物で家具を柱や壁にネジ止めする方法では、家具や壁にキズを付けてしまう。コンクリート壁の場合でははつり作業があったりして大掛かりな作業となる。しかも、剛結合すると瞬間的に大きな力が発生し、結合部が破壊しやすい。このほか、家具下面と床面とを粘着材で接着する方法では、縦横比の大きな家具には不向きである。本発明に係る家具転倒防止器具は、このような課題を解決するために提案されたものである。
【課題を解決するための手段】
【０００５】
本発明に係る家具転倒防止器具の上記課題を解決して目的を達成するための要旨は、表・裏面のうち一方の面に、脱着可能な粘着材が一体化された一対の平板体同士を、前記表・裏面のうちの他方の面の重心位置において、互いの力を伝達させるとともに回転可能に繋着する伝達材によって緊結してなることである。
【０００６】
第１発明に係る家具転倒防止器具は、表・裏面のうち一方の面に、脱着可能な粘着材が接着剤で接着されて一体化された一対の平板体同士を、前記表・裏面のうちの他方の面の重心位置において、互いの力を伝達させるとともに回転可能に繋着されて、相互に横からスライドさせて差し込んで固定されて引張力が伝達される歯状部を有する２本の剛な棒状体である伝達材によって緊結してなることを特徴とする。
第２発明に係る家具転倒防止器具は、第１発明において、前記平板体の側壁部に外接するガイド側壁を有するガイド部材と、前記平板体を家具や壁から取り外すのに用いるテーパ部と、前記ガイド側壁の長手方向の長さの略半分の長さで、両側の前記ガイド側壁をその基端部側で連結する天井とを備える脱着用挿入治具を付属させることを特徴とする。
【発明の効果】
【０００７】
本発明の家具転倒防止器具によれば、表・裏面のうち一方の面に、脱着可能な粘着材が一体化された一対の平板体同士を、前記表・裏面のうちの他方の面の重心位置において、互いの力を伝達させるとともに回転可能に繋着する伝達材によって緊結してなるので、常に力が平均的に分散して粘着面に作用し、曲げモーメントが発生せず、圧縮力・引張力しか発生せず、理想的な応力伝達機構となる。そして、粘着材で発生応力が緩和され、小さな力で家具の転倒を防止することができる。その結果、コンパクトとなり、製品として輸送、展示も容易となり、在庫占有面積も少なくて済み管理も容易となる。更に、製造コストが安くなる。また、貼り付けるだけなので、家具等への取付けが簡単であり、取り付けた状態においても目に付かず景観を害さないという優れた効果を奏する。
【０００８】
前記平板体に、伝達材の任意の位置において位置固定する固定部材を付属させていること、又は、前記伝達材の途中に、当該伝達材の長さを調節する固定装置を設けたので、家具転倒防止器具を取り付ける現場において、その現場状況に応じて自由に伝達材の長さを調整することができる。また、掃除するときに一時的に取り外して、また元に戻すことが容易である。
【０００９】
複数の粘着材同士の間に、フィルム，シート，メッシュ，不織布のうちのいずれか一つでなる面材を介在させたサンドイッチ構造に形成して成る複層粘着材としたことで、面材により強度が上がるので薄くしても粘着材が破れない。
【００１０】
剥離応力を持続させると容易に剥離できる性質を利用して、前記平板体を家具や壁から取り外すのに用いるテーパ付の脱着用挿入治具を付属させたことで、平板体を家具等から容易に取り外すことができる。
【発明を実施するための最良の形態】
【００１１】
本発明に係る家具転倒防止器具１は、図１乃至図２に示すように、表・裏面のうち一方の面２ａに脱着可能な粘着材３がゴム系の接着剤などで一体化された一対の平板体２，２同士を、前記表・裏面のうちの他方の面２ｂの重心位置において、互いの力を伝達させるとともに回転可能に繋着する伝達材４によって緊結してなる。
【００１２】
前記平板体２は、例えば、円形状若しくは矩形状の形をした、合成樹脂製、金属製、木製の板である。大きさは使用条件により、複数種類が用意されるが、一般的な家具に使用されるので、通常、大人の手の大きさ以下程度のものである。
【００１３】
前記粘着材３は、例えば、ウレタンゲル、スチレンゲル、イソブチレンゲル、オレフィンゲルなどの公知のものである。前記地震時の振動などの力を伝達させる伝達材４は、例えば、ロープ、ベルト等のひも状物であり、場合によっては、剛な棒状体などであり、引張力だけでなく、圧縮力も伝達する（図１２、図１３参照）場合がある。この伝達材４を平板体の重心位置に繋着するには、自由に回転可能できるピン固定による繋着部６とするものである。
【００１４】
前記繋着部６は、理想的には平板体２の重心位置、若しくは、現実的にはその近傍であり、粘着材３の力点中心に前記伝達材４により引張力や圧縮力が作用するようにする。それにより、粘着面には力が平均的に分散して作用し、理想的な応力伝達機構を形成するものである。このような前記家具転倒防止器具１を、図３に示すように、家具５と壁７との間に貼着して使用するものである。
【００１５】
なお、平板体２の、家具５や壁７（７ａ）などに対する貼り付け作業を容易にするために、図４乃至図５に示すように、少なくとも一方の平板体２の粘着材３に、折り返し剥離紙８ａが設けられる。他方の平板体２には、折り返しのない剥離紙８ｂが設けられる。勿論、両方の平板体２，２に折り返し剥離紙８ａを設けても良い。この剥離紙８ａがあることで、図５に示すように、家具の奥に手が届きにくい場合でも、平板体２を貼り付ける箇所に位置決めして載置した後に、剥離紙８の先端８ｃを手で掴んで引張り、粘着材３の粘着面を露出させ、その位置のまま家具の天板５ａに貼着することができるものである。
【００１６】
また、前記平板体２を金属製にして、図６に示すように、略重心位置において、２本のスリットを入れ、橋状部２ａを切り起こして伝達材としてのベルト４ａの厚さ分だけ突出させて切り起こし加工する。この橋状部２ａにベルト４ａを回して固定する。このベルト４ａが回転できるように、シリコンーン塗布等の剥離処理をしたり、粘着材３との接触位置にフィルム９をおいて、接着材１０で粘着材３を平板体２の片面に貼付したりする。
【００１７】
次に、第２実施例として、図７に示すように、前記平板体２に、伝達材４の任意の位置において位置固定する固定部材１０を付属させていることである。これにより、重心位置に置いて伝達材４が位置固定されているので、いかなる角度方向でも平板体２の全体に力が分散される。これに対して、図８に示すように、平板体２の端部で固定するものがあるが、この場合は曲げが作用するので端部に力が集中し、１／３〜１／４の耐力しかない。
前記固定部材１０を締付バックルにして、これを持って家具５等に平板体２を貼着させることで、剥離紙８，８ａを省略して、容易に取付ができる。
【００１８】
次に、第３実施例として、図９に示すように、伝達材４の途中に、当該伝達材４の長さを調節する固定装置１１を設けたことである。この固定装置１１は、例えば、締付けバックルであり、これにより、一対の平板体２，２の長さを自由に無段階で調節して設定することができる。よって、現場において、自由に長さを合わせて伝達材４，４を緊結することができる。前記固定装置１１の他の例としては、図１０に示すように、「目」字型のバックル１１ａ、図１１に示すように、挟み具１１ｂで挟んで固定することもできる。
【００１９】
次に、第４実施例として、図１２乃至図１３に示すように、平板体２，２の間の伝達材として、圧縮と引張の両方に抵抗する剛な棒状体の伝達材１２ａ，１３ａにより平板体２に回転自由な繋着部６で連結するものである。家具のそばに壁７が無い場合でも、斜めに支えることができる。また、図１４に示すように、くさび１４により、伝達材４，４をその途中でくさび固定するものである。くさび１４により、差し込むだけで簡単に固定することができる。
【００２０】
次に、第５実施例は、図１５に示すように、複数の粘着材３，３同士の間に、フィルム，シート，メッシュ，不織布のうちのいずれか一つの面材１５を介在させたサンドイッチ構造に形成して成る複層粘着材１６としたものである。これにより、粘着材３の強度が向上し、薄くしても破れないものである。
【００２１】
本発明の第６実施例は、図１６に示すように、剥離応力を持続させると容易に剥離できる性質を利用して、平板体２を家具や壁５から取り外すのに用いるテーパ付の脱着用挿入治具１７を付属させたことである。前記テーパ部分は、平板体２の粘着材３が存在しない周縁部に摺接していくものである。また、図１７に示すように、前記脱着用挿入治具１７，１７が無くならないように、紐１７ａで両者を結んでおくことが好ましい。平板体２に前記脱着用挿入治具１７を時間を掛けて挿入され、家具や壁５などから取り外すことができる。
【００２２】
前記挿入治具１７の他の実施例として、図１８乃至図１９に示すように、平板体２の側壁部に外接するガイド側壁１８ａを有するガイド部材１８を設けるものである。前記ガイド側壁１８ａの内側には、テーパ部を形成する折り込み部材１８ｂが存在する。また、両側のガイド側壁１８ａ，１８ａを連結する天井１８ｃがあり、これは、剥がす途中で伝達材４にぶつからないように、前記ガイド側壁１８ａの長手方向の長さの半分程度にして切断されている。このガイド部材１８を矢印に示す方向に押すことで、テーパ状の前記折り込み部材１８ｂにより、その上端面のテーパで平板体２を押し上げるものである。これによれば、一体的なガイド部材であるので、ガイド側壁１８ａの紛失もなく、作業的にも、コの字型の一体部材なので安定して力強く押すことができる。
【図面の簡単な説明】
【００２３】
【図１】本発明に係る家具転倒防止器具１の使用状態を示す説明図である。
【図２】同本発明に係る家具転倒防止器具１の使用状態を示す説明図である。
【図３】同本発明に係る家具転倒防止器具１の使用状態を示す正面図（Ａ）と側面図（Ｂ）とである。
【図４】同本発明に係る家具転倒防止器具１において剥離紙８，８ａを設けた例を示す使用状態説明図である。
【図５】同本発明に係る家具転倒防止器具１において剥離紙８，８ａを設けた例であり、家具５の天板５ａに貼り付ける様子を示す説明図である。
【図６】同本発明に係る家具転倒防止器具１において、金属製の平板体２として伝達材４を取り付ける例を示す断面図である。
【図７】本発明に係る家具転倒防止器具１の第２実施例を示す説明図（Ａ）と一部平面図（Ｂ）とである。
【図８】固定部材１０を平板体２の端部に固定した場合の応力の状態を示す説明図（Ａ）と、平面図（Ｂ）とである。
【図９】本発明の第３実施例に係る家具転倒防止器具１の使用状態説明図である。
【図１０】同第３実施例の他の例を示す説明図である。
【図１１】同第３実施例の他の例を示す説明図である。
【図１２】本発明の第４実施例に係る説明図（Ａ）と、伝達材１２の平面図（Ｂ）と、側面図（Ｃ）とである。
【図１３】同第４実施例の他の例を示す説明図（Ａ）と、伝達材１３の平面図（Ｂ）と、側面図（Ｃ）とである。
【図１４】同第４実施例の他の例を示す説明図である。
【図１５】本発明の第５実施例に係る説明図（Ａ）と、複層粘着材１６の側面図（Ｂ）とである。
【図１６】本発明の第６実施例に係る使用状態説明図（Ａ）と、平面図（Ｂ）とである。
【図１７】同、脱着用挿入治具１７，１７の保存状態を示す正面図である。
【図１８】前記挿入治具１７の他の実施例に係るガイド部材１８の使用状態説明図である。
【図１９】同ガイド部材１８の終端部の断面図（Ａ）と、先端部の断面図（Ｂ）とである。
【符号の説明】
【００２４】
１          家具転倒防止器具、
２          平板体、
３          粘着体、
４          伝達材、
５          家具や壁、                    ５ａ        天板、  
６          繋着部、
７          壁、                          ７ａ        壁面、
８          剥離紙、                      ８ａ        折り返し剥離紙、
９          フィルム、
１０        接着材、
１１        固定装置、                    １１ａ      バックル、
１２        伝達材、
１３        伝達材、
１４        くさび、
１５        面材、
１６        複層粘着材、
１７        脱着用挿入治具、              １７ａ      紐、
１８        ガイド部材、                  １８ａ      ガイド側壁、
１８ｂ      折り込み部材、                １８ｃ      天井。
【図１】
0005398118.tif 000002
【図２】
0005398118.tif 000003
【図３】
0005398118.tif 000004
【図４】
0005398118.tif 000005
【図５】
0005398118.tif 000006
【図６】
0005398118.tif 000007
【図７】
0005398118.tif 000008
【図８】
0005398118.tif 000009
【図９】
0005398118.tif 000010
【図１０】
0005398118.tif 000011
【図１１】
0005398118.tif 000012
【図１２】
0005398118.tif 000013
【図１３】
0005398118.tif 000014
【図１４】
0005398118.tif 000015
【図１５】
0005398118.tif 000016
【図１６】
0005398118.tif 000017
【図１７】
0005398118.tif 000018
【図１８】
0005398118.tif 000019
【図１９】
0005398118.tif 000020